(57)【要約】【課題】構造が比較的簡単で、安価に製作することができ、しかも駆動源に電源を格別に必要としない可動型の防音装置を提供する。【解決手段】所定位置から上方へ駆動されて、その内側を遮音するようになっている所定面積の遮音壁（１、１、…）と、この遮音壁（１、１、…）を所定位置から上方へ駆動する駆動装置（２０）とから構成する。駆動装置（２０）には、水道水で作動するピストンシリンダユニットを適用する。【選択図】  図２
2004156300.tif 000002
【特許請求の範囲】
【請求項１】
所定位置から上方へ駆動されて、その内側を遮音するようになっている所定面積の遮音壁と、該遮音壁を所定位置から上方へ駆動する駆動装置とからなる防音装置であって、
前記駆動装置は、回転運動する回転モータまたは直線運動するピストンシリンダユニットからなり、その動力源は水道水であることを特徴とする可動型の防音装置。
【請求項２】
請求項１に記載の防音装置において、ピストンシリンダユニットはテレスコピツク的に伸びる複数段のピストンシリンダユニットからなる可動型の防音装置。
【請求項３】
請求項１または２に記載の防音装置において、ピストンシリンダユニットはテレスコッピ的に伸びる複数段のピストンシリンダユニットからなると共に、遮音壁も上下方向にテレスコピック的に伸縮する可動型の防音装置。
【請求項４】
請求項１〜３のいずれかの項に記載の防音装置において、遮音壁の上方部分は、騒音が発生する側へ向かって湾曲状に曲がっている可動型の防音装置。
【発明の詳細な説明】
【０００１】
【発明の属する技術分野】
本発明は、所定位置から上方へ駆動されて、その内側を遮音するようになっている遮音壁と、該遮音壁を所定位置から上方へ駆動する駆動装置とからなる防音装置に関するものである。
【０００２】
【従来の技術】
防音壁あるいは遮音壁は、従来から色々提案され、例えば屋外イベント会場等の周囲にも防音壁が設けられ、騒音が外部へ漏れるのを防止するようになっている。このような会場に設けられる遮音壁は、環境の景観を損なわないように、上下方向に駆動自在になって、必要時に所定高さまで駆動されるように構成されている。
【０００３】
【特許文献１】特開平９−１８９０８３号
【特許文献２】特開平９−１８９０８４号
【０００４】
上記のような上下方向に伸縮する可変式の遮音壁は、具体的には特許文献１、２により提案されている。すなわち、特許文献１には、複数枚の反射板と昇降装置とからなる可変式の防音装置が示されている。これらの複数枚の反射板は、連結部材としてのヒンジにより相互に回動自在に連結されている。また、昇降装置には、油圧ピストンシリンダユニットが適用されている。したがって、遮音したいときに、収納ボックスに収納されている反射板を油圧ピストンシリンダユニットにより駆動すると、複数枚の反射板はヒンジにより連結されているので、地上から所定高さまで一直線上に伸びる。これにより、騒音が外部へ漏れることを防止することができる。
【０００５】
特許文献２には、蛇腹式に伸縮する遮音壁と、この蛇腹式遮音壁を上下方向に伸縮する伸縮手段とからなる可変防音装置が示されている。したがって、必要時に、格納凹部に収納されている遮音壁を油圧ピストンシリンダユニットにより駆動すると、蛇腹状に折り畳まれている遮音壁は、蛇腹が伸びて地上から所定高さになる。これにより、同様に遮音される。
【０００６】
【発明が解決しようとする課題】
特許文献１に記載されている遮音壁は、複数枚の反射板が連結部材により連結されているので、折り畳んだ状態で収納し、また所定高さまで延ばすことができる利点は認められる。しかしながら、色々な改良すべき問題点も認められる。例えば、内部で発生する騒音は、内部に閉じ込めることなく、上方空間へ逃すと、水平方向の騒音はある程度防止することができるにも拘わらず、遮音壁は複数枚の反射板からなり連結部材により連結され、必要以上に上方へ伸びるようになっている。したがって、重量は増し、構造は比較的複雑になっている。また、駆動源が油圧式になっているので、所定の圧力油を得るための油圧ポンプ、この油圧ポンプを駆動する電動機、制御室等を格別に必要としコスト高になっている。さらには、駆動時の油圧ポンプ、電動機等の駆動音の問題もある。また、駆動源に電源が用いられているので、安全面から操作員を必要とする欠点もある。さらには、作動油量が多くなると、地下油タンク、火災等の見地から消防法の規定を受ける煩わしさも生じる。また、このような可動式の遮音壁は一般に屋外に設置れるが、漏電の問題、油圧ホースの劣化の問題等もある。特許文献２に記載されている可変遮音壁についても同様なことが言える。
【０００７】
本発明は、上記したような従来の問題点を解消した可動型の防音装置を提供しようとするもので、具体的には昼間は騒音も比較的問題にならないので、騒音防止対策よりも、環境の景観に重点を置き、夜間のような静寂さが求められるときは、遮音することができる可動型の防音装置を提供することを目的としている。さらに具体的には、構造が比較的簡単で、安価に製作することができ、しかも駆動源に電源を格別に必要としない可動型の防音装置を提供することを目的としている。
【０００８】
【課題を解決するための手段】
本発明の上記目的は、遮音壁は通常は所定位置に格納しておき、必要時に所定高さまで駆動するように構成し、また遮音壁の駆動装置には回転するモータまたは直線運動するピストンシリンダユニットを適用し、そしてその動力源に水道水を利用することにより達成される。水道水を回転モータあるいはピストンシリンダユニットすなわち直線モータに供給し、その水圧で遮音壁を上方の所定位置へ駆動して遮音し、水道水を抜いて例えば重量により格納位置へ駆動すると、水道水は廃棄される。しかしながら、このようにして廃棄される水道水を、高所へポンプアップしておくと、ポンプアップした水道水を再び使用することができる。したがって、本発明の水道水にはポンプアップした水道水も含まれることになる。かくして、本請求項１に記載の発明は、所定位置から上方へ駆動されて、その内側を遮音するようになっている所定面積の遮音壁と、該遮音壁を所定位置から上方へ駆動する駆動装置とからなる防音装置であって、前記駆動装置は、回転運動する回転モータまたは直線運動するピストンシリンダユニットからなり、その動力源は水道水であるように構成される。請求項２に記載の発明は、請求項１に記載の防音装置において、ピストンシリンダユニットはテレスコピツク的に伸びる複数段のピストンシリンダユニットからなり、請求項３に記載の発明は、請求項１または２に記載の防音装置において、ピストンシリンダユニットはテレスコッピ的に伸びる複数段のピストンシリンダユニットからなると共に、遮音壁も上下方向にテレスコピック的に伸縮するように、そして請求項４に記載の発明は、請求項１〜３のいずれかの項に記載の防音装置において、遮音壁の上方部分は、騒音が発生する側へ向かって湾曲状に曲がっているように構成される。
【０００９】
【発明の実施の形態】
以下、可動型の防音装置を駐車場に適用した実施の形態について説明する。図１は、本実施の形態に係わる遮音壁の作用時の状態を示す斜視図であるが、この斜視図に示されているように、遮音壁１、１、…は、日中等の遮音を必要としないときはコンクリートの外壁Ｃの内側あるいは側部に位置し、夜間等の必要時にはコンクリートの外壁Ｃの上方へ駆動されるようになっている。このような遮音壁１、１、…は、所定間隔をおいて設けられている支柱３、３、…により横方向に複数枚並列的に設けられている。コンクリートの外壁Ｃの内側すなわち図１において左側が駐車場Ｐになり、外側は花、木等が植えられ緑地帯Ｆとなり、さらにその外側は歩道あるいは車道Ｒとなっている。概略上記のように構成されているコンクリートの外壁Ｃの高さＨ１は、例えば１．５ｍ、そして遮音壁１、１、…が上方へ駆動されたときの高さＨ２も１．５ｍになっている。このように、本実施の形態によると、遮音壁１、１、…の高さは比較的低い。しかしながら、遮音壁１、１、…の上方部分は、図１に示されているように、駐車場Ｐ側に向かって湾曲している。したがって、駐車場Ｐで生じる自動車のエンジン音等は上方の空間へ逃げ、遮音壁１、１、…の上方端部を越えて緑地帯Ｆの方へ達する量は小さい。すなわち、遮音壁１、１、…の上方端部を回折する音波の量は少ない。これにより、効果的に遮音される。なお、図１のおいて他の符号ＣＦはコンクリート製の側壁を示している。
【００１０】
遮音壁１、１、…の詳細およびその駆動装置の第１の実施の形態の詳細が図２の（イ）に示されている。遮音壁１、１、…は、所定面積の１枚の遮音パネル２からなっている。したがって、従来周知のシャッタあるいは特許文献１に示されているような複数枚が連結されている遮音パネルに比較して、例えば風等によりパネル同志が接触して発生する騒音の量は少ない。このような遮音パネル２が取り付けられる支持フレームは、所定間隔に配置されている複数本の縦フレーム４、４、…と、同様に所定間隔に配置されている複数本の横フレーム５、５、…とからなっている。そして、前記遮音パネル２、２、…は、上方部分が駐車場Ｐ側に向かって湾曲している湾曲部となり、その下方の垂直部となるように取り付けられている。縦フレーム４、４、…には上下方向に間隔をおいてブラケット６、６が固定され、これらのブラケット６、６に案内車輪７、７が回転自在に取り付けられている。また、支柱３、３、…には、前記案内車輪７、７をガイドする案内溝８、８が上下方向に形成されている。さらには、支柱３、３の上方端部には、滑車９、９が取り付けられている。
【００１１】
上記のように構成されている遮音壁１、１、…の第１の実施の形態の駆動装置は、水道水で回転する水道圧モータ１０からなっている。この水道圧モータ１０には、従来提案されているものが適用され、その出力軸には巻取ドラムあるいはチエーンスプロケット１１が取り付けられている。遮音壁１、１、…を上方へ駆動する紐あるいはチエーン１２の一方の端部は巻取ドラム１１に、そして他端部は滑車９を回って遮音壁１、１、…のブラケット６に取り付けられている。なお、遮音壁１、１、…を所定位置に止めるストッパは図１には示されていない。また、水道圧モータ１０に水道水を供給する例えば塩化ビニール管あるいは不錆鋼からなる管も図２の（イ）には示されていない。本実施の形態によると、水道水を水圧モータ１０に供給する管が塩化ビニールあるいは不錆鋼からなるので、屋外に設置されても、劣化の問題が無く、油圧駆動方式に比較して安全である。
【００１２】
次に、上記実施の形態の作用について説明する。夜間等の遮音を必要とするときは、水道管の栓を開く。そうすると、水道圧モータ１０が回転し、その巻取ドラム１１が回転し、チエーン１２が巻き取られる。それゆえ、遮音壁１、１、…は、案内溝８、８にガイドされる案内車輪７、７により所定位置まで駆動される。所定位置に達したら、例えばバネ付勢のストッパが突き出て、その位置に保持される。上記のようにして上方の遮音位置へ駆動されている状態が図２の（イ）に示されている。外観景観を重んじるとき、すなわち遮音壁１、１、…を格納するときは、水道水の圧力を抜く。これと連動してストッパを外す。そうすると、遮音壁１、１、…は、その重量によりをコンクリートの外壁Ｃの側部の所定位置に下がる。
【００１３】
本発明は、上記実施の形態に限定されることなく色々な形で実施できる。例えば、上記実施の形態では遮音壁１、１、…は、コンクリートの外壁Ｃの側部に格納されるようになっているが、地下に格納するように実施することもできる。また、遮音壁１、１、…を所定位置に保持するストッパは、水道水を水道圧モータ１０に供給するときは自動的に突き出て、排水するときは退避するように実施することもできる。さらには、図２の（ロ）に示されているように、案内溝８の上方部分を遮音壁１の方へ湾曲させると共に、遮音壁１の外側にゴム等のクッション材３’を、支柱３等の適当な部材に固定しておくこともできる。そうすると、遮音壁１を上方の所定位置まで駆動すると、遮音壁１は矢印で示されている方向に移動してクッション材３’に当接する。これにより風による振動すなわち騒音の発生を抑制することができる。また、水道圧モータ１０に代えて直線運動をするピストンシリンダユニットを適用し、そのロッドによりチエーンを駆動するように実施することもできる。なお、複数枚の遮音壁１、１、…宛に、上記したような駆動装置を両サイドに一対設けることもできるし、１枚の遮音壁に対して１個あるいは一対設けることができることは明らかである。
【００１４】
次に、図３により、本発明の駆動装置の第２の実施の形態を説明する。本実施の形態によると、駆動装置２０はテレスコピック的に伸縮する複数段のピストンシリンダユニットからなっている。さらに詳しく説明すると、例えば地下Ｇに配置されている第１のシリンダ２１と、この第１のシリンダ２１の内側に上下方向に摺動自在に設けられている第２のシリンダ２２と、この第２のシリンダ２２の内側に同様に上下方向に摺動自在に設けられている第３のシリンダ２３と、この第３のシリンダ２３に同様に上下方向に摺動自在に設けられているピストン２４とから構成されている。第２、第３のシリンダ２２、２３の底部２２Ｐ、２３Ｐは、ピストンになっている。そして、これらの底部２２Ｐ、２３Ｐには、透孔２２Ｔ、２３Ｔが開けられている。また、ピストン２４のロッド２５には、前述したような遮音壁が取り付けられている。
【００１５】
したがって、例えば３方弁２６を図３に示されている位置へ切り換えると、水道水が第１のシリンダ２１に供給され、第１のシリンダ２１は上方へ駆動される。同時に、第１のシリンダ２１に供給される水道水の一部は、透孔２２Ｔを通って第２のシリンダ２２に供給され、第２のシリンダ２２が上方へ駆動される。同様にして、第３のシリンダ２３も駆動される。このように第１〜第３のシリンダ２１〜２３およびピストン２４が駆動されるとき、抵抗の小さい方が先に駆動され、最終的に図３に示されている位置まで駆動される。これにより遮音壁が上方まで駆動される。３方弁２６を切り換えると、遮音壁、ピストン２４、第１〜第３のシリンダ２１〜２３等の自重により、第１〜第３のシリンダ２１〜２３の水道水は排水され、縮む。これにより遮音壁も所定位置へ退避する。
【００１６】
本実施の形態も、前述したように変形可能であることは明らかであるが、特に遮音壁もテレスコピック的に伸縮するように構成し、そして地下Ｇに格納するように実施することもできる。
【００１７】
【発明の効果】
従来のように駆動源が油圧であると、油圧を得るための油圧ポンプ、油圧ポンプを駆動する電動モータ等の設備費の問題、また電動モータ、油圧ポンプ等から生じる騒音の問題、消防法の規制の問題等を生じるが、本発明によると、防音装置の駆動装置は回転する回転モータまたは直線運動をするピストンシリンダユニットからなり、その動力源に水道水が適用されるので、安価であり、騒音の問題も、消防法の規制も受けないという本発明に特有の効果が得られる。また、動力用の電源を必要としないので、操作室あるいは制御室も必要とせず、外観を損なうようなこともなく、さらには漏電の問題も作動油のホースの劣化の問題もない。また、遮音壁は水道水で駆動されるので、大きな出力が得られる油圧式あるいは電動式に比較して安全である。
また、遮音壁の上方部分が騒音が発生する側へ向かって湾曲状に曲がっている発明によると、上記のような効果に加えて、遮音壁が低くても防音効果が得られる。
【図面の簡単な説明】
【図１】本発明の実施の状態を模式的に示す斜視図である。
【図２】本発明の駆動装置の第１の実施の形態を示す図で、その（イ）は側断面図、その（ロ）は要部の他の実施の形態を示す側断面図である。
【図３】本発明の駆動装置の第２の実施の形態を示す断面図である。
【符号の説明】
１      遮音壁                          ９            滑車
１０      水道圧モータ                ２１〜２３      第１〜３のシリンダ
【図１】
2004156300.tif 000003
【図２】
2004156300.tif 000004
【図３】
2004156300.tif 000005
【手続補正書】
【提出日】平成14年11月14日(2002.11.14)
【手続補正１】
【補正対象書類名】図面
【補正対象項目名】全図
【補正方法】変更
【補正の内容】
【図１】
2004156300.tif 000006
【図２】
2004156300.tif 000007
【図３】
2004156300.tif 000008